(57)【要約】【課題】　記録媒体の先端部や後端部における画像品位をより一層向上させることを目的とする。【解決手段】　インクジェット記録装置１は、用紙Ｐを搬送する搬送ローラユニットおよび排紙ローラユニットを備える。用紙Ｐの先端部に画像を記録する際、インクは、記録ヘッド３１の複数のノズルのうち、搬送ローラ対に近い側の一部から吐出される。用紙Ｐが搬送ローラユニットと排紙ローラユニットとの双方によって搬送される際、インクは、記録ヘッド３１のすべてのノズルから吐出される。用紙Ｐの後端部に画像を記録する際、インクは、記録ヘッド３１の複数のノズルのうち、排紙ローラ対に近い側の一部から吐出される。【選択図】　図７
2004098668.tif 000002
【特許請求の範囲】
【請求項１】
　インクを吐出するための複数のノズルを含む記録ヘッドを記録媒体に対して走査させながら前記記録ヘッドから前記記録媒体に対しインクを吐出させる動作と、前記走査の方向と直交する方向に前記記録媒体を搬送する動作とを行うことにより、前記記録媒体に対する記録を行うインクジェット記録装置であって、
　前記記録媒体を搬送するためのローラユニットを備え、
　前記記録媒体の先端部および後端部のいずれに記録を行う場合であっても、前記複数のノズルのうち、前記記録の際に記録媒体を搬送しているローラユニットに近い側の一部のノズルのみからインクを吐出させることを特徴とするインクジェット記録装置。
【請求項２】
　前記ローラユニットは、前記記録ヘッドよりも記録媒体の搬送方向上流側に配置された第１のローラユニットと、前記記録ヘッドよりも記録媒体の搬送方向下流側に配置された第２のローラユニットとを含み、
　前記記録媒体の先端部は、前記第１のローラユニットのみにより記録媒体が搬送される際に記録が行われる領域であり、
　前記記録媒体の後端部は、前記第２のローラユニットのみにより記録媒体が搬送される際に記録が行われる領域であることを特徴とする請求項１に記載のインクジェット記録装置。
【請求項３】
　複数のノズルを含む記録ヘッドからインクを吐出させて記録媒体に記録を行うインクジェット記録装置であって、
　前記記録ヘッドよりも記録媒体の搬送方向上流側に配置されており、前記記録媒体を保持・搬送可能な第１のローラユニットと、
　前記記録ヘッドよりも記録媒体の搬送方向下流側に配置されており、前記記録媒体を保持・搬送可能な第２のローラユニットとを備え、
　前記第１のローラユニットのみにより記録媒体が保持される場合には、前記複数のノズルのうち、前記第１のローラユニットに近い側の一部のノズルのみからインクが吐出され、前記第２のローラユニットのみにより記録媒体が保持される場合には、前記複数のノズルのうち、前記第２のローラユニットに近い側の一部のノズルのみからインクが吐出されることを特徴とするインクジェット記録装置。
【請求項４】
　複数のノズルを含む記録ヘッドからインクを吐出させて記録媒体に記録を行うインクジェット記録装置であって、
　前記記録ヘッドよりも記録媒体の搬送方向上流側に配置されており、前記記録媒体を保持・搬送可能な第１のローラユニットと、
　前記記録ヘッドよりも記録媒体の搬送方向下流側に配置されており、前記記録媒体を保持・搬送可能な第２のローラユニットと、
　前記記録媒体の搬送経路中における存在位置に応じて、インク吐出可能ノズルの位置を変更する変更手段とを備え、
　前記変更手段は、（ａ）前記第１のローラユニットのみにより記録媒体が保持されるような位置に前記記録媒体が存在する場合に、前記第１のローラユニットに近い側の一部のノズルのみを前記インク吐出可能ノズルとし、（ｂ）前記第１のローラユニットおよび前記第２のローラユニットの両方により記録媒体が保持されるような位置に前記記録媒体が存在する場合に、前記第１のローラユニットに近い側のノズルおよび前記第２のローラユニットに近い側のノズルを前記インク吐出可能ノズルとし、（ｃ）前記第２のローラユニットのみにより記録媒体が保持されるような位置に前記記録媒体が存在する場合に、前記第２のローラユニットに近い側の一部のノズルのみを前記インク吐出可能ノズルとすることを特徴とするインクジェット記録装置。
【請求項５】
　複数のノズルを含む記録ヘッドから記録データに基づいてインクを吐出させて記録媒体に画像を記録可能なインクジェット記録装置において、
　前記記録媒体を保持・搬送するローラユニットを備え、
　前記記録媒体の先端部および後端部に画像を記録する際に、前記記録ヘッドの前記複数のノズルのうち、前記記録媒体を保持しているローラユニットに近い側の一部のノズルのみからインクを吐出させることを特徴とするインクジェット記録装置。
【請求項６】
　前記記録データに基づいて、前記記録ヘッドを駆動するためのインク吐出データを作成する吐出データ作成手段を更に備え、
　前記吐出データ作成手段は、前記記録媒体の先端部および後端部に画像を記録する際に、前記複数のノズルのうち、前記記録媒体を保持しているローラユニットに近い側の一部からインクが吐出されるようにインク吐出データを作成することを特徴とする請求項５に記載のインクジェット記録装置。
【請求項７】
　前記ローラユニットは、前記記録ヘッドよりも記録媒体の搬送方向上流側に配置された搬送ローラユニットを含み、
　前記搬送ローラユニットのみにより前記記録媒体が保持される状態で行われる前記記録媒体の先端部に対する記録の際には、前記記録ヘッドの前記複数のノズルのうち、前記搬送ローラユニットに近い側の一部からインクが吐出されることを特徴とする請求項５または６に記載のインクジェット記録装置。
【請求項８】
　前記ローラユニットは、前記記録ヘッドよりも記録媒体の搬送方向下流側に配置された排紙ローラユニットを含み、
　前記排紙ローラユニットのみにより前記記録媒体が保持される状態で行われる前記記録媒体の後端部に対する記録の際には、前記記録ヘッドの前記複数のノズルのうち、前記排紙ローラユニットに近い側の一部からインクが吐出されることを特徴とする請求項５から７の何れかに記載のインクジェット記録装置。
【請求項９】
　少なくとも、前記記録媒体の先端部に対する画像の記録が開始されてから、前記記録媒体の先端部が前記排紙ローラユニットにより保持されるまでの間、前記記録ヘッドの前記複数のノズルのうち、前記記録ヘッドよりも記録媒体の搬送方向上流側に配置された搬送ローラユニットに近い側の一部からインクが吐出されることを特徴とする請求項８に記載のインクジェット記録装置。
【請求項１０】
　前記排紙ローラユニットを複数組備えることを特徴とする請求項８または９に記載のインクジェット記録装置。
【請求項１１】
　前記記録媒体のカールの状態に応じて、インクを吐出させるノズルの位置が変更されることを特徴とする請求項５から１０の何れかに記載のインクジェット記録装置。
【請求項１２】
　前記カールの状態は、記録デューティー、環境温度および環境湿度の何れか一つまたはこれらの組み合わせに基づいて判断されることを特徴とする請求項１１に記載のインクジェット記録装置。
【請求項１３】
　前記記録媒体の種類に基づいて、インクを吐出させるノズルの位置が変更されることを特徴とする請求項５から１２の何れかに記載のインクジェット記録装置。
【請求項１４】
　インクジェット記録方法であって、
　インクを吐出するための複数のノズルを含む記録ヘッドを記録媒体に対して走査させながら前記記録ヘッドから前記記録媒体に対しインクを吐出させる動作と、前記走査の方向とは直交する方向にローラユニットにより前記記録媒体を搬送させる動作とを行うことにより、前記記録媒体に対する記録を行う記録工程を含み、
　前記記録工程では、前記記録媒体の先端部および後端部のいずれに記録を行う場合であっても、前記複数のノズルのうち、前記記録の際に記録媒体を搬送しているローラユニットに近い側の一部のノズルのみからインクを吐出させることを特徴とするインクジェット記録方法。
【請求項１５】
　前記ローラユニットは、前記記録ヘッドよりも記録媒体の搬送方向上流側に配置された第１のローラユニットと、前記記録ヘッドよりも記録媒体の搬送方向下流側に配置された第２のローラユニットとを含み、
　前記記録媒体の先端部は、前記第１のローラユニットのみにより記録媒体が搬送される際に記録が行われる領域であり、
　前記記録媒体の後端部は、前記第２のローラユニットのみにより記録媒体が搬送される際に記録が行われる領域であることを特徴とする請求項１４に記載のインクジェット記録方法。
【請求項１６】
　複数のノズルを含む記録ヘッドからインクを吐出させて記録媒体に記録を行うインクジェット記録方法であって、
　前記記録ヘッドよりも記録媒体の搬送方向上流側に配置された第１のローラユニットのみにより前記記録媒体を保持・搬送する工程と、
　前記記録ヘッドよりも記録媒体の搬送方向下流側に配置された第２のローラユニットのみにより前記記録媒体を保持・搬送する工程と、
　前記第１のローラユニットのみにより記録媒体が保持される場合に、前記複数のノズルのうち、前記第１のローラユニットに近い側の一部のノズルのみからインクを吐出させる一方、前記第２のローラユニットのみにより記録媒体が保持される場合に、前記複数のノズルのうち、前記第２のローラユニットに近い側の一部のノズルのみからインクを吐出させる工程と、
　を含むことを特徴とするインクジェット記録方法。
【請求項１７】
　複数のノズルを含む記録ヘッドからインクを吐出させて記録媒体に記録を行うインクジェット記録方法であって、
　前記記録ヘッドよりも記録媒体の搬送方向上流側に配置された第１のローラユニットのみにより前記記録媒体を保持・搬送する工程と、
　前記記録ヘッドよりも記録媒体の搬送方向下流側に配置された第２のローラユニットのみにより前記記録媒体を保持・搬送する工程と、
　前記記録媒体の搬送経路中における存在位置に応じて、インク吐出可能ノズルの位置を変更する変更工程とを含み、
　前記変更工程では、（ａ）前記第１のローラユニットのみにより記録媒体が保持されるような位置に前記記録媒体が存在する場合に、前記第１のローラユニットに近い側の一部のノズルのみを前記インク吐出可能ノズルとし、（ｂ）前記第１のローラユニットおよび前記第２のローラユニットの両方により記録媒体が保持されるような位置に前記記録媒体が存在する場合に、前記第１のローラユニットに近い側のノズルおよび前記第２のローラユニットに近い側のノズルを前記インク吐出可能ノズルとし、（ｃ）前記第２のローラユニットのみにより記録媒体が保持されるような位置に前記記録媒体が存在する場合に、前記第２のローラユニットに近い側の一部のノズルのみを前記インク吐出可能ノズルとすることを特徴とするインクジェット記録方法。
【請求項１８】
　複数のノズルを含む記録ヘッドから記録データに基づいてインクを吐出させ、ローラユニットにより搬送される記録媒体に画像を記録するインクジェット記録方法において、
　前記記録媒体の先端部および後端部に画像を記録する際に、前記記録ヘッドの前記複数のノズルのうち、前記記録媒体を保持しているローラユニットに近い側の一部のノズルのみからインクを吐出させるステップを備えることを特徴とするインクジェット記録方法。
【請求項１９】
　記録媒体を搬送するローラユニットを有し、複数のノズルを含む記録ヘッドからインク吐出データに基づいてインクを吐出させ、前記ローラユニットにより搬送される記録媒体に画像を記録可能なインクジェット記録装置を制御するプログラムであって、
　前記記録媒体の先端部および後端部に画像を記録する際に、前記記録ヘッドの前記複数のノズルのうち、前記記録媒体を保持しているローラユニットに近い側の一部のノズルのみからインクが吐出されるように前記インク吐出データを作成するプログラムコード手段を備えることを特徴とするプログラム。
【発明の詳細な説明】
【技術分野】
【０００１】
　本発明は、インクジェット記録装置、インクジェット記録方法およびプログラムに関する。
【背景技術】
【０００２】
　一般に、インクジェット記録装置は、記録媒体（用紙）を搬送する送り機構として、記録ヘッドの上流側と下流側とに配置される２組のローラユニットを含む。これらのローラユニットを動作させることにより、記録ヘッドの記録動作に対応するように所定量ずつ記録媒体を搬送することができる。記録ヘッドの上流側にあるローラユニット（搬送ローラユニット）は、駆動手段により回転駆動される搬送ローラおよび記録媒体を搬送ローラに押圧して搬送力を生じさせるピンチローラを含む。また、記録ヘッドの下流側にあるローラユニット（排紙ローラユニット）は、駆動手段によって回転駆動される排紙ローラおよび記録媒体を排紙ローラに押圧する拍車を含む。
【０００３】
　ここで、通常の記録動作を行なう場合、記録媒体は、搬送ローラユニットと排紙ローラユニットとにより保持・搬送される。これに対して、記録媒体の先端部や後端部に画像を記録する場合、記録媒体は、搬送ローラユニットおよび排紙ローラユニットの何れか一方のみによって保持・搬送される。このため、記録媒体の先端部や後端部への記録（つまり、搬送ローラユニットおよび排紙ローラユニットの何れか一方のみによって記録媒体が保持・搬送されているときの記録）に際して、記録媒体の送り精度が悪化し、媒体に形成される画像に乱れを生じてしまうということがあった。
【０００４】
　このような問題を防止する対策としては、記録媒体の先端部や後端部に対する記録時に、記録に用いるノズルの数を通常の記録時よりも少なくするという手法が知られている（例えば、特許文献１参照。）。
【０００５】
【特許文献１】特開２００２−１４４６３７号公報
【発明の開示】
【発明が解決しようとする課題】
【０００６】
　しかしながら、上述の従来の手法によって記録媒体の先端部や後端部に画像を記録したとしても、媒体に形成される画像の乱れが多少目立たなくなるだけであり、そのような画像の乱れが直接に低減されるわけではない。画像の品位向上に対する要求が高まっている現状においては、記録媒体の先端部や後端部への記録時における品位、言い換えれば、搬送ローラユニットおよび排紙ローラユニットの何れか一方のみによって記録媒体が保持・搬送されているときの記録時における品位を更に向上させることが望まれる。
【０００７】
　更に加えると、近年、デジタルカメラの急速な普及等により、銀縁写真並みの品位をもった画像を記録媒体の全面すなわち余白無し（縁無し）で出力することへのニーズがますます高まっている。このようなニーズに応えるためには、余白無し記録により記録媒体の先端部および後端部に形成された画像の品位をより一層向上させる必要がある。
【０００８】
　そこで、記録媒体の先端部や後端部における画像品位をより一層向上させることを可能にするインクジェット記録装置、インクジェット記録方法およびプログラムの提供を目的とする。
【課題を解決するための手段】
【０００９】
　本発明によるインクジェット記録装置は、インクを吐出するための複数のノズルを含む記録ヘッドを記録媒体に対して走査させながら記録ヘッドから記録媒体に対しインクを吐出させる動作と、走査の方向と直交する方向に記録媒体を搬送する動作とを行うことにより、記録媒体に対する記録を行うインクジェット記録装置であって、記録媒体を搬送するためのローラユニットを備え、記録媒体の先端部および後端部のいずれに記録を行う場合であっても、複数のノズルのうち、記録の際に記録媒体を搬送しているローラユニットに近い側の一部のノズルのみからインクを吐出させることを特徴とする。
【００１０】
　この場合、ローラユニットは、記録ヘッドよりも記録媒体の搬送方向上流側に配置された第１のローラユニットと、記録ヘッドよりも記録媒体の搬送方向下流側に配置された第２のローラユニットとを含み、記録媒体の先端部は、第１のローラユニットのみにより記録媒体が搬送される際に記録が行われる領域であり、記録媒体の後端部は、第２のローラユニットのみにより記録媒体が搬送される際に記録が行われる領域であると好ましい。
【００１１】
　本発明による他のインクジェット記録装置は、複数のノズルを含む記録ヘッドからインクを吐出させて記録媒体に記録を行うインクジェット記録装置であって、記録ヘッドよりも記録媒体の搬送方向上流側に配置されており、記録媒体を保持・搬送可能な第１のローラユニットと、記録ヘッドよりも記録媒体の搬送方向下流側に配置されており、記録媒体を保持・搬送可能な第２のローラユニットとを備え、第１のローラユニットのみにより記録媒体が保持される場合には、複数のノズルのうち、第１のローラユニットに近い側の一部のノズルのみからインクが吐出され、第２のローラユニットのみにより記録媒体が保持される場合には、複数のノズルのうち、第２のローラユニットに近い側の一部のノズルのみからインクが吐出されることを特徴とする。
【００１２】
　本発明による更に他のインクジェット記録装置は、複数のノズルを含む記録ヘッドからインクを吐出させて記録媒体に記録を行うインクジェット記録装置であって、記録ヘッドよりも記録媒体の搬送方向上流側に配置されており、記録媒体を保持・搬送可能な第１のローラユニットと、記録ヘッドよりも記録媒体の搬送方向下流側に配置されており、記録媒体を保持・搬送可能な第２のローラユニットと、記録媒体の搬送経路中における存在位置に応じて、インク吐出可能ノズルの位置を変更する変更手段とを備え、変更手段は、（ａ）第１のローラユニットのみにより記録媒体が保持されるような位置に記録媒体が存在する場合に、第１のローラユニットに近い側の一部のノズルのみをインク吐出可能ノズルとし、（ｂ）第１のローラユニットおよび第２のローラユニットの両方により記録媒体が保持されるような位置に記録媒体が存在する場合に、第１のローラユニットに近い側のノズルおよび第２のローラユニットに近い側のノズルをインク吐出可能ノズルとし、（ｃ）第２のローラユニットのみにより記録媒体が保持されるような位置に記録媒体が存在する場合に、第２のローラユニットに近い側の一部のノズルのみをインク吐出可能ノズルとすることを特徴とする。
【００１３】
　本発明による他のインクジェット記録装置は、複数のノズルを含む記録ヘッドから記録データに基づいてインクを吐出させて記録媒体に画像を記録可能なインクジェット記録装置において、記録媒体を保持・搬送するローラユニットを備え、記録媒体の先端部および後端部に画像を記録する際に、記録ヘッドの複数のノズルのうち、記録媒体を保持しているローラユニットに近い側の一部のノズルのみからインクを吐出させることを特徴とする。
【００１４】
　この場合、インクジェット記録装置は、記録データに基づいて、記録ヘッドを駆動するためのインク吐出データを作成する吐出データ作成手段を更に備え、吐出データ作成手段は、記録媒体の先端部および後端部に画像を記録する際に、複数のノズルのうち、記録媒体を保持しているローラユニットに近い側の一部からインクが吐出されるようにインク吐出データを作成すると好ましい。
【００１５】
　また、ローラユニットは、記録ヘッドよりも記録媒体の搬送方向上流側に配置された搬送ローラユニットを含み、搬送ローラユニットのみにより記録媒体が保持される状態で行われる記録媒体の先端部に対する記録の際には、記録ヘッドの複数のノズルのうち、搬送ローラユニットに近い側の一部からインクが吐出されると好ましい。
【００１６】
　更に、ローラユニットは、記録ヘッドよりも記録媒体の搬送方向下流側に配置された排紙ローラユニットを含み、排紙ローラユニットのみにより記録媒体が保持される状態で行われる記録媒体の後端部に対する記録の際には、記録ヘッドの複数のノズルのうち、排紙ローラユニットに近い側の一部からインクが吐出されると好ましい。
【００１７】
　また、少なくとも、記録媒体の先端部に対する画像の記録が開始されてから、記録媒体の先端部が排紙ローラユニットにより保持されるまでの間、記録ヘッドの複数のノズルのうち、記録ヘッドよりも記録媒体の搬送方向上流側に配置された搬送ローラユニットに近い側の一部からインクが吐出されると好ましい。
【００１８】
　更に、このインクジェット記録装置は、排紙ローラユニットを複数組備えていると好ましい。
【００１９】
　また、記録媒体のカールの状態に応じて、インクを吐出させるノズルの位置が変更されると好ましい。
【００２０】
　この場合、カールの状態は、記録デューティー、環境温度および環境湿度の何れか一つまたはこれらの組み合わせに基づいて判断されると好ましい。
【００２１】
　また、記録媒体の種類に基づいて、インクを吐出させるノズルの位置が変更されると好ましい。
【００２２】
　本発明によるインクジェット記録方法は、インクを吐出するための複数のノズルを含む記録ヘッドを記録媒体に対して走査させながら記録ヘッドから記録媒体に対しインクを吐出させる動作と、走査の方向とは直交する方向にローラユニットにより記録媒体を搬送させる動作とを行うことにより、記録媒体に対する記録を行う記録工程を含み、記録工程では、記録媒体の先端部および後端部のいずれに記録を行う場合であっても、複数のノズルのうち、記録の際に記録媒体を搬送しているローラユニットに近い側の一部のノズルのみからインクを吐出させることを特徴とする。
【００２３】
　この場合、ローラユニットは、記録ヘッドよりも記録媒体の搬送方向上流側に配置された第１のローラユニットと、記録ヘッドよりも記録媒体の搬送方向下流側に配置された第２のローラユニットとを含み、記録媒体の先端部は、第１のローラユニットのみにより記録媒体が搬送される際に記録が行われる領域であり、記録媒体の後端部は、第２のローラユニットのみにより記録媒体が搬送される際に記録が行われる領域であると好ましい。
【００２４】
　本発明による他のインクジェット記録方法は、複数のノズルを含む記録ヘッドからインクを吐出させて記録媒体に記録を行うインクジェット記録方法であって、記録ヘッドよりも記録媒体の搬送方向上流側に配置された第１のローラユニットのみにより記録媒体を保持・搬送する工程と、記録ヘッドよりも記録媒体の搬送方向下流側に配置された第２のローラユニットのみにより記録媒体を保持・搬送する工程と、第１のローラユニットのみにより記録媒体が保持される場合に、複数のノズルのうち、第１のローラユニットに近い側の一部のノズルのみからインクを吐出させる一方、第２のローラユニットのみにより記録媒体が保持される場合に、複数のノズルのうち、第２のローラユニットに近い側の一部のノズルのみからインクを吐出させる工程と、を含むものである。
【００２５】
　本発明による更に他のインクジェット記録方法は、複数のノズルを含む記録ヘッドからインクを吐出させて記録媒体に記録を行うインクジェット記録方法であって、記録ヘッドよりも記録媒体の搬送方向上流側に配置された第１のローラユニットのみにより記録媒体を保持・搬送する工程と、記録ヘッドよりも記録媒体の搬送方向下流側に配置された第２のローラユニットのみにより記録媒体を保持・搬送する工程と、記録媒体の搬送経路中における存在位置に応じて、インク吐出可能ノズルの位置を変更する変更工程とを含み、変更工程では、（ａ）第１のローラユニットのみにより記録媒体が保持されるような位置に記録媒体が存在する場合に、第１のローラユニットに近い側の一部のノズルのみをインク吐出可能ノズルとし、（ｂ）第１のローラユニットおよび第２のローラユニットの両方により記録媒体が保持されるような位置に記録媒体が存在する場合に、第１のローラユニットに近い側のノズルおよび第２のローラユニットに近い側のノズルをインク吐出可能ノズルとし、（ｃ）第２のローラユニットのみにより記録媒体が保持されるような位置に記録媒体が存在する場合に、第２のローラユニットに近い側の一部のノズルのみをインク吐出可能ノズルとすることを特徴とする。
【００２６】
　本発明による他のインクジェット記録方法は、複数のノズルを含む記録ヘッドから記録データに基づいてインクを吐出させ、ローラユニットにより搬送される記録媒体に画像を記録するインクジェット記録方法において、記録媒体の先端部および後端部に画像を記録する際に、記録ヘッドの複数のノズルのうち、記録媒体を保持しているローラユニットに近い側の一部のノズルのみからインクを吐出させるステップを備えるものである。
【００２７】
　本発明によるプログラムは、記録媒体を搬送するローラユニットを有し、複数のノズルを含む記録ヘッドからインク吐出データに基づいてインクを吐出させ、ローラユニットにより搬送される記録媒体に画像を記録可能なインクジェット記録装置を制御するプログラムであって、記録媒体の先端部および後端部に画像を記録する際に、記録ヘッドの複数のノズルのうち、記録媒体を保持しているローラユニットに近い側の一部のノズルのみからインクが吐出されるようにインク吐出データを作成するプログラムコード手段を備えるものである。
【発明の効果】
【００２８】
　本発明によれば、記録媒体の先端部や後端部における画像品位をより一層向上させることを可能にするインクジェット記録装置、インクジェット記録方法およびプログラムの実現が可能となる。
【発明を実施するための最良の形態】
【００２９】
　一般に、ローラユニットを含むインクジェット記録装置によって、記録媒体の先端部や後端部に画像を記録する場合、記録媒体は、ローラユニットによって片持ち式に保持された状態にある。このため、記録媒体の先端部や後端部に対する画像記録時に、記録媒体の特性や周囲環境の影響により、記録媒体と記録ヘッドとの相対的な位置関係が本来のもの（設計値）と一致しなくなってしまうことがある。このように、記録媒体と記録ヘッドとの相対的な位置関係に狂いを生じている状態で記録ヘッドからインクを吐出させれば、当然に画像に乱れを生じてしまう。
【００３０】
　これを低減するために、本発明では、ローラユニットにより搬送される記録媒体の先端部および後端部に対して記録ヘッドにより画像を記録する際、記録ヘッドの複数のノズルのうち、ローラユニットに近い側の一部からインクが吐出される。これにより、すべてのノズルからインクを吐出させた場合と比較して、インクを吐出するノズルとローラユニットとの距離が短くなることから、記録ヘッドと、ローラユニットによって片持ち式に保持された記録媒体との相対的な位置関係の狂いを抑制することが可能となる。この結果、本発明によれば、記録媒体の先端部および後端部における画像の乱れを低減可能となり、記録媒体の先端部や後端部における画像品位をより一層向上させることができる。また、余白なし記録時においては記録媒体の全面に対して高品位な記録を実行することができる。
【００３１】
　また、本発明によれば、記録媒体の先端部や後端部における画像品位をより一層向上させることができる。すなわち、本発明では、記録ヘッドよりも記録媒体の搬送方向の上流側に配置された搬送ローラおよび記録ヘッドよりも記録媒体の搬送方向の下流側に配置された排紙ローラのうち、搬送ローラのみにより記録媒体が保持・搬送されるときの記録時（つまり、記録媒体の先端部への記録時）には、搬送ローラに近い側のノズルのみが使用される。一方、排紙ローラのみにより記録媒体が保持・搬送されるときの記録時（つまり、記録媒体の後端部への記録時）には、排紙ローラに近い側のノズルのみが使用される。これにより、記録媒体の先端部および後端部への記録時において記録媒体の浮き上がりが発生したとしても、記録ヘッドの使用ノズルと記録媒体との相対位置のズレを少なくすることができ、それにより、記録媒体の先端部および後端部における記録品位を向上させることが可能となる。更に、余白なし記録時においては、記録媒体の全面に対して高品位な画像記録が可能となる。
【００３２】
　なお、上述したように本明細書において、記録媒体の先端部に対する記録とは、記録ヘッドよりも記録媒体の搬送方向の上流側に配置された搬送ローラおよび記録ヘッドよりも記録媒体の搬送方向の下流側に配置された排紙ローラのうち、搬送ローラのみにより記録媒体が保持・搬送されるときに実行される記録を意味する。また、記録媒体の後端部に対する記録とは、記録ヘッドよりも記録媒体の搬送方向の上流側に配置された搬送ローラおよび記録ヘッドよりも記録媒体の搬送方向の下流側に配置された排紙ローラのうち、排紙ローラのみにより記録媒体が保持・搬送されるときに実行される記録を意味する。
【００３３】
　以下、図面と共に本発明によるインクジェット記録装置、インクジェット記録方法およびプログラムの好適な実施形態について詳細に説明する。
【００３４】
　図１は、本発明によるインクジェット記録装置を示す斜視図である。同図に示されるインクジェット記録装置１は、いわゆる余白無し記録を実行可能なものであり、上ケース２と下ケース３とを含む筐体４を備えている。上ケース２と下ケース３とは、弾性を有する嵌合爪（図示せず）を介して互いに連結固定される。上ケース２には、アクセスカバー５が開閉自在に取り付けられている。このアクセスカバー５を開くことにより、筐体４内に配置されている後述のインクタンク等の部品にアクセス可能となり、消耗品であるこれらの部品の交換可能となる。
【００３５】
　更に、上ケース２は、アクセスカバー５の開閉を検知するためのＬＥＤガイド２ａ、キースイッチ２ｂ、ドアスイッチレバー等をその上部に含んでいる。また、上ケース２の上部後方には、多段式の開閉自在な給紙トレイ６が配置されている。給紙トレイ６は、図１に示されるように閉じられている際、内部の露出を防止するカバーとしての役割をも果たす。一方、給紙トレイ６を開くと共に引き出すことにより、図２に示されるように、記録媒体としての用紙をセット可能となる。
【００３６】
　図１に示されるように、下ケース３には、フロントカバー７が開閉自在に取り付けられている。フロントカバー７は、インクジェット記録装置１の排紙口を開閉するものである。このフロントカバー７を開くと、図２に示されるように、伸縮構造を有する排紙トレイ８を外部に引き出すことができる。概略、上述のように構成されている筐体４の内部には、図３〜図５に示されるプリント機構９が収容されている。
【００３７】
　図３に示されるように、プリント機構９は、折り曲げ加工されたシャーシ９ａを含み、このシャーシ９ａには、給紙機構１０、送紙機構２０、キャリッジ駆動機構３０、排紙機構４０、および、クリーニング機構４５等が組み付けられている。以下、これらのユニットについて詳細に説明する。
【００３８】
　〔給紙機構〕
　給紙機構１０は、ベース１１を有し、このベース１１には、記録媒体としての用紙を支持する圧板１２、用紙を給紙するための給紙ローラ１４、用紙を１枚づつ分離する分離ローラ１５、用紙を積載位置に戻すための戻しレバー１６等が取り付けられている。上述の給紙トレイ６は、ベース１１または上ケース２に取り付けられており、使用時には、用紙を積載するために引き出される。また、給紙機構１０は、給紙専用モータ１７（図４）を有し、このモータ１７の駆動力は、駆動伝達ギア、遊星ギア等によって給紙ローラ１４に伝達される。
【００３９】
　圧板１２は、可動サイドガイド１８を有しており、この可動サイドガイド１８により用紙の積載位置が設定される。また、圧板１２は、ベース１１に対して回動自在に連結されており、スプリング１９によって給紙ローラ１４に向けて付勢されている。給紙ローラ１４と対向する圧板１２の部分には、積載枚数が少なくなった際に用紙の重送を防止するために、人工皮等の比較的大きな摩擦係数を有する材料からなる分離シート（図示省略）が装着されている。圧板１２は、図示されない圧板カムによって、給紙ローラ１４に対して当接または離間するように駆動される。
【００４０】
　更に、用紙を１枚ずつ分離するための分離ローラ１５は、分離ローラホルダ１３により支持されている。分離ローラホルダ１３は、ベース１１に回動自在に連結されており、図示しないスプリングにより給紙ローラ１４に対して付勢されている。更に、分離ローラ１５には、図示されないクラッチバネが取り付けられ、分離ローラ１５に所定以上の負荷がかかると、分離ローラホルダ１３が回動する。分離ローラ１５は、図示されないリリースシャフトおよびコントロールカム等により、給紙ローラ１４に対して当接または離間するように駆動される。
【００４１】
　また、用紙を積載位置に戻すための戻しレバー１６は、ベース１１に回動自在に連結されると共に、解除方向にスプリング（図示省略）によって付勢されている。そして、用紙を元の位置に戻す際、戻しレバー１６は、分離ローラ１５用のコントロールカムによって駆動される。上述の圧板１２、戻しレバー１６、分離ローラ１５の位置は図示されないＡＳＦセンサによって検知されている。
【００４２】
　このように構成される給紙機構１０が待機状態にある際、圧板１２は圧板カムによりリリースされ、分離ローラ１５はコントロールカムによりリリースされ、更に、戻しレバー１６は、用紙積載時に用紙が奥に入り込まないように積載口を塞ぐ積載位置に位置決めされる。この状態から、給紙が開始されると、モータ１７の駆動力によって、まず、分離ローラ１５が給紙ローラ１４と当接する。更に、戻しレバー１６がリリースされ、圧板１２が給紙ローラ１４と当接する。そして、用紙はベース１１に設けられた前段分離部（図示省略）にて規制され、所定枚数の用紙のみが給紙ローラ１４と分離ローラ１５により形成されるローラニップに送られる。このローラニップで用紙は分離され、最上段にある１枚の用紙のみが給紙ローラ１４および分離ローラ１５によって搬送される。
【００４３】
　用紙が後述の搬送ローラ２１に達すると、圧板１２は圧板カムによって、分離ローラ１５はコントロールカムによってそれぞれリリースされ、戻しレバー１６はコントロールカムによって積載位置に戻される。この際、給紙ローラ１４と分離ローラ１５とにより形成されるローラニップに達していた用紙は、積載位置まで戻される。
【００４４】
　〔送紙機構〕
　送紙機構２０は、用紙を搬送するための搬送ローラ２１を有している。搬送ローラ２１は、表面にセラミックの微小粒をコーティングした金属製の軸からなり、その両端の金属部分は、シャーシ９ａに取り付けられた軸受により支持されている。また、搬送ローラ２１と軸受との間には、搬送の安定化を図るためにローラ回転時に負荷を与えるように、搬送ローラ２１を付勢する引張バネが設けられている。
【００４５】
　また、送紙機構２０は、搬送ローラ２１と当接してそれに従動する複数のピンチローラ２２を含む。各ピンチローラ２２は、シャーシ９ａに回動自在に連結されているピンチローラホルダ２２ａ（図４、図５）によって保持されると共にスプリングによって搬送ローラ２１に圧接させられる。これらの搬送ローラ２１とピンチローラ２２とは、用紙を搬送するための搬送ローラユニットを構成する。
【００４６】
　更に、送紙機構２０の入口付近には、用紙をガイドするガイドフラッパ２３およびプラテン２４が配置されている。ガイドフラッパ２３は、搬送ローラ２１と嵌り合うと共に、軸受を中心に回転自在であり、シャーシ９ａに当接することにより位置決めされる。プラテン２４は、シャーシ９ａに位置決め・固定されている。また、プラテン２４の用紙基準側には用紙の端部を覆えて浮き上がりを防止する紙押え部材が設けられている。また、ピンチローラホルダ２２ａには、用紙の先端および後端を検出するＰＥセンサ２５を構成するＰＥセンサレバー２５ａが装着されている。
【００４７】
　搬送ローラ２１は、ＤＣモータである搬送モータ２６により回転駆動される。搬送モータ２６の駆動力は、タイミングベルトおよびプーリー２７（図５）により搬送ローラ２１に伝達される。また、搬送ローラ２１には、用紙搬送量を検出するためのコードホイール２８（図５）が装着されている。コードホイール２８には、例えば１５０〜３００ｌｐｉのピッチでマーキングが形成されており、コードホイール２８のマーキングは、コードホイール２８の近傍に位置するようにシャーシ９ａに取り付けられたエンコーダセンサ２９によって読み取られる。
【００４８】
　上述の給紙機構１０から用紙が送紙機構２０に送られると、用紙は、ピンチローラホルダ２２ａおよびガイドフラッパ２３により案内されて、搬送ローラ２１と各ピンチローラ２２とからなる搬送ローラユニットへと送られる。この際、ＰＥセンサレバー２５ａは、用紙の記録位置を求めるために、搬送されてきた用紙の先端を検出する。用紙は、搬送モータ２６により回転させられる搬送ローラ２１およびピンチローラ２２によってプラテン２４上を搬送される。プラテン２４上には、搬送基準面になるリブが形成されており、当該リブによって、後述される記録ヘッド３１とのギャップが管理されると共に、用紙の波打ちが抑制される。
【００４９】
　〔キャリッジ駆動機構〕
　キャリッジ駆動機構３０は、記録ヘッド３１を支持するキャリッジ３２を含む。記録ヘッド３１には、複数のインクタンク３１ａ（本実施形態では、Ｃ，Ｍ，ＹおよびＫの４色）が交換自在に装着される。記録ヘッド３１は、いわゆるインクジェット記録ヘッドであり、複数のノズルおよびインクに熱を与えるヒータを有し、ヒータが発生する熱によってインクを膜沸騰させる。この膜沸騰による気泡の成長または収縮によって生じる圧力変化により、記録ヘッド３１のノズルからインクが吐出され、用紙上に画像が形成されることになる。
【００５０】
　一方、キャリッジ３２は、それを用紙の搬送方向に対して直交する方向に往復走査させるためのガイドシャフト３３と、キャリッジ３２の後端を保持して記録ヘッド３１と用紙との隙間を維持するガイドレール３４とによって支持されている。ガイドシャフト３３は、シャーシ９ａに取り付けられており、ガイドレール３４はシャーシ９ａと一体に形成されている。ガイドレール３４には、ＳＵＳ等の薄板の摺動シート３５が取り付けられており、この摺動シート３５によって摺動音の低減が図られる。
【００５１】
　キャリッジ３２は、シャーシ９ａに取り付けられたキャリッジモータＣＲＭによりタイミングベルト３６を介して駆動される。タイミングベルト３６は、アイドルプーリ３７によって張設・支持されている。タイミングベルト３６は、ゴム等からなるダンパを介してキャリッジ３２と連結されており、このダンパによりキャリッジモータＣＲＭ等の振動が減衰され、それに起因する画像ムラ等が低減される。また、キャリッジ駆動機構３０は、キャリッジ３２の位置を検出するためのコードストリップ３８を含む。コードストリップ３８は、タイミングベルト３６と平行に張設されており、例えば１５０〜３００ｌｐｉのピッチで形成されたマーキングを有する。コードストリップ３８のマーキングは、キャリッジ３２に搭載されたキャリッジ基板に設けられているエンコーダーセンサによって読み取られる。なお、キャリッジ基板は、記録ヘッド３１との電気的な接続を達成するためのコンタクトを含み、キャリッジ３２は、記録ヘッド信号を伝えるためのフレキシブル基板を含む。
【００５２】
　更に、キャリッジ駆動機構は、ガイドシャフト３３の両端に取り付けられた偏心カム３３ａを有する。偏心カム３３ａには、キャリッジ昇降モータ３９の駆動力が所定のギア列を介して伝達され、これにより、ガイドシャフト３３を上下に昇降させることができる。従って、インクジェット記録装置１では、キャリッジ３２を昇降させて、厚さの異なる用紙に対して常に最適なギャップを提供することができる。
【００５３】
　用紙に画像を記録するに際しては、搬送ローラ２１およびピンチローラ２２（搬送ローラユニット）によって画像を記録すべき行位置（用紙搬送方向の位置）に用紙が搬送され、キャリッジモータＣＲＭによって画像を記録すべき列位置（用紙搬送方向と直交する方向の位置）にキャリッジ３２が移動される。これにより、記録ヘッド３１が用紙の画像形成位置と対向する。そして、記録ヘッド３１が駆動され、記録ヘッド３１の複数のノズルから用紙に向けてインクを吐出される。
【００５４】
　〔排紙機構〕
　排紙機構４０は、２本の排紙ローラ４１ａ，４１ｂ、各排紙ローラ４１ａ，４１ｂに所定圧で当接させれると共にそれに従動して回転するように構成された拍車４２、および、搬送モータ２６の駆動力を排紙ローラ４１ａ，４１ｂに伝達するためのギア列（図示省略）等を含む。互いに対向し合う排紙ローラ４１ａまたは４１ｂと拍車４２とは、排紙ローラユニットを構成する。従って、インクジェット記録装置１は、複数（２組）の排紙ローラユニットを備えることになる。
【００５５】
　上流側の排紙ローラ４１ａは、金属製の軸に複数のゴム車輪を装着したものであり、プラテン２４に取り付けられている。上流側の排紙ローラ４１ａには、アイドラギア等を介して搬送モータ２６の駆動力が伝達される。一方、下流側の排紙ローラ４１ｂは、樹脂製の軸にエラストマ等の弾性体からなる車輪を複数取り付けたものである。下流側の排紙ローラ４１ｂには、上流側の排紙ローラ４１ａからアイドラギア等を介して駆動力が伝達される。
【００５６】
　各拍車４２は、周囲に凸形状部が複数設けられたＳＵＳの薄板を樹脂部と一体に成型したものであり、拍車ベース４３に取り付けられている。各拍車４２は、コイルバネ等の拍車バネを介して拍車ベース４３に取り付けられ、拍車バネによって対応する排紙ローラ４１ａ，４１ｂに対して押圧される。各拍車４２の部分のうち、排紙ローラ４１ａのゴム部または排紙ローラ４１ｂの弾性部に対応する部分は、主に用紙の搬送力を生み出す役割を果たし、排紙ローラ４１ａのゴム部または排紙ローラ４１ｂの弾性部以外の位置に対応する部分は、主に画像の記録の際に用紙の浮き上がりを抑制する役割を果たす。
【００５７】
　キャリッジ３２に搭載された記録ヘッド３１によって画像が形成された用紙は、排紙ローラ４１ａ，４１ｂと拍車４２とにより保持・搬送され、排紙トレイ８に排出される。排紙ローラ４１ａおよび４１ｂの間には、用紙の両端を持ち上げると共に各排紙ローラ４１ａ，４１ｂの先で用紙を保持し、先に送り出された用紙上の画像にダメージを与えないための紙端サポートが配置されている。
【００５８】
　〔クリ−ニング機構〕
　クリーニング機構４５は、記録ヘッド３１のクリーニングを行うポンプ４６、記録ヘッド３１の乾燥を抑制するためのキャップ４７、記録ヘッド３１のノズル周辺におけるフェイス面をクリーニングするためのブレード４８、および、クリーニングモータ４９等を含む。クリーニングモータ４９には、ワンウェイクラッチが備えられており、モータ４９は、一方向に回転するとポンプ４６を駆動する一方、他方向に回転するとブレード４８を作動させると共にキャップ４７を昇降させる。また、ブレード４８には、記録ヘッド３１のノズル近傍をクリーニングするものと、フェース面全体をクリーニングするものとが含まれる。そして、ブレード４８とブレードクリーナー４８ａとを接触させることにより、ブレード４８に付着したインク等を除去することができる。
【００５９】
　図６は、上述されたインクジェット記録装置の制御ブロック図である。同図に示されるように、インクジェット記録装置１は、装置全体の制御手段として機能するＭＰＵ６０を含む。このＭＰＵ６０には、バスラインを介してＲＡＭ６１およびＲＯＭ６２が接続されている。ＲＡＭ６１は、各種データを一時的に保持等する受信バッファＲＢ、プリントバッファＰＢ、および、各種制御に伴う演算処理の作業領域として用いられるワークラムＷＲを有する。また、ＲＯＭ６２には、各種制御用プログラム等が記憶されている。
【００６０】
　更に、ＭＰＵ６０には、バスラインを介して入出力インターフェース６３が接続されており、この入出力インターフェース６３には、外部のホストコンピュータＨＣが接続される。また、上述の記録ヘッド３１は、ヘッド駆動回路６４を介して入出力インターフェース６３に接続されており、ＭＰＵ６０によって制御される。同様に、キャリッジ駆動機構３０のキャリッジモータＣＲＭは、ＣＲドライバ６５を介して、給紙用の給紙専用モータ１７は、給紙ドライバ６６を介して、入出力インターフェース６３に接続されている。同様に、搬送ローラユニットおよび排紙ローラユニットを駆動する搬送モータ２６も、搬送／排紙ドライバ６７を介して入出力インターフェース６３に接続されている。更に、上述のＡＳＦセンサ、ＰＥセンサ２５、エンコーダセンサ２９等や他のスイッチ類は、制御回路６８を介して入出力インターフェース６３に接続されている。
【００６１】
　次に、図７〜図９を参照しながら、上述されたインクジェット記録装置１の動作について説明する。ここでは、記録媒体としての用紙Ｐに対して余白無し記録を実行する場合について詳説するが、本発明が余白無し記録以外の記録にも適用可能であることはいうまでもない。
【００６２】
　図７に示されるように、インクジェット記録装置１によって記録すべき文字や画像のデータ（ビットマップデータ等、以下「記録データ」という）は、ホストコンピュータＨＣから送出され、入出力インターフェース６３を介して、ＲＡＭ６１の受信バッファＲＢに蓄えられる、また、所定のタイミングで給紙機構１０による用紙の搬送が開始される（Ｓ１０）。この際、ＭＰＵ６０からは、正常にデータが転送されていることを確認するための信号や、記録装置１の動作状態を示す信号等がホストコンピュータに返送される。
【００６３】
　そして、記録装置１のＭＰＵ６０は、ＰＥセンサ２５から送られる信号に基づいて、給紙機構１０によって送り出された１枚目の用紙が記録ヘッド３１の上流側にある搬送ローラ２１およびピンチローラ２２により構成される搬送ローラユニットに到達したか否かを判断する（Ｓ１２）。ＭＰＵ６０は、Ｓ１２において、用紙が搬送ローラユニットに到達した（用紙が搬送ローラ２１とピンチローラ２２とによって保持された）と判定した場合、受信バッファＲＢに蓄積されている記録データに基づいて、記録ヘッド３１を駆動して記録動作を実行するための吐出データを作成し、ヘッド駆動回路６４に供給する。
【００６４】
　ここで、Ｓ１４の処理において、記録装置１のＭＰＵ６０は、記録ヘッド３１に含まれる複数のノズルのうち、搬送ローラユニット（搬送ローラ２１およびピンチローラ２２）に近い側に位置する一部のノズルのみからインクが吐出されるように吐出データを作成する。
【００６５】
　更に、ＭＰＵ６０は、予め所定の記憶領域に記憶されている搬送ローラユニットの用紙ニップ位置と排紙ローラユニットのニップ位置との間の距離と、作成した吐出データ量等とに基づいて、あるいは、図示されないセンサからの信号に基づいて、用紙が排紙ローラユニット（排紙ローラ４１ａおよび拍車４２）に到達したか否かを判断する（Ｓ１６）。ＭＰＵ６０は、Ｓ１６において、用紙が排紙ローラユニットに到達した（用紙が排紙ローラ４１ａと拍車４２とによって保持された）と判定した場合、記録ヘッド３１に含まれるすべてのノズルからインクが吐出されるように吐出データを作成する（Ｓ１８）。
【００６６】
　すなわち、本発明のインクジェット記録装置１では、用紙が上流側の搬送ローラユニットのみによって保持されている間、Ｓ１２〜Ｓ１６における処理により、記録ヘッド３１の複数のノズルのうち、搬送ローラユニットに近い側の一部のみが画像の記録のために用いられることになる。このような処理を行なうのは、次のような理由による。
【００６７】
　余白無し記録を行なう場合等、記録媒体としての用紙の先端部に画像を記録する場合、図８に示されるように、用紙Ｐは、搬送ローラユニットによって保持された後のしばらくの間、搬送ローラユニット（搬送ローラ２１およびピンチローラ２２）によって片持ち式に保持されることになる。このため、用紙Ｐの特性や周囲環境の影響により、同図において符号Ｐ１にて示されるように、ある角度θ１をもって先端部が浮き上がってしまうことがある。このような浮き上がり現象は、例えば用紙Ｐがもともとカールしていた場合や、記録デューティーが高く、インクの急激な蒸発によって記録直後にカールが発生する場合に生じ得る。
【００６８】
　一方、本実施形態では、記録ヘッド３１は、５１２個のノズルを有しており、ノズルピッチは、６００ｄｐｉとされている。このため、用紙Ｐの搬送方向において、全ノズル長Ｎ１は、およそ２１．６ｍｍとなる。また、搬送ローラユニットの用紙ニップ位置からノズル中心位置までの距離Ｘ１は、搬送方向において、２５ｍｍであり、搬送ローラユニットの用紙ニップ位置から最下流側のノズルまでの距離Ｘ２は、２５＋（２１．６／２）＝３５．８ｍｍとなる。
【００６９】
　このような記録装置１において、例えば、用紙Ｐの先端部の浮き上がりが角度θ１＝２°で発生した場合、記録ヘッド３１に含まれる全てのノズルを用いて記録を行なうと、最下流側のノズル近傍における用紙Ｐの浮き上がり量は、用紙Ｐの本来の状態（用紙Ｐがプラテン２４と平行に搬送されている状態、図８における符号Ｐ２参照）から、ｔａｎ２°×３５．８＝約１．２５ｍｍとなる。この場合、用紙Ｐの搬送方向に関して、用紙Ｐは、本来の位置から、３５．８−ｃｏｓ２°×３５．８＝約２２μｍだけ全体に上流側（搬送ローラユニット側）にズレることになる。そして、このような用紙Ｐの搬送方向における位置ズレ量に応じて、記録ヘッド３１から吐出されるインクにより用紙Ｐに形成されるドットは下流側に移動してしまう。
【００７０】
　これに対して、用紙Ｐの先端が排紙ローラ４１ａと拍車４２とに保持されるようになると（用紙Ｐが下流側の排紙ローラユニットによって保持されるようになると）、用紙Ｐは、図８において破線で示される本来の状態Ｐ２に戻る。このため、用紙Ｐが排紙ローラユニット（排紙ローラ４１ａおよび拍車４２）によって保持される前後において、用紙Ｐの搬送状態が異なってしまう。すなわち、用紙Ｐが搬送ローラユニットのみによって保持され、用紙Ｐの浮き上がりが生じている状態では、用紙Ｐ（記録媒体）と記録ヘッド３１との相対的な位置関係が本来のもの（設計値）と一致していない。一方、用紙Ｐが搬送ローラユニットと排紙ローラユニットとの双方によって保持されると、用紙Ｐの浮き上がりが抑制され、用紙Ｐ（記録媒体）と記録ヘッド３１との相対的な位置関係が本来のもの（設計値）と一致する。
【００７１】
　この結果、何ら対策を施すことなく、単純に記録ヘッド３１から用紙Ｐの先端部にインクを吐出させた場合、このような用紙Ｐの搬送状態の変化に起因して用紙Ｐに形成される画像中に画像ズレが発生してしまうことになる。ここで、およそ２２μｍのドットの位置ズレ量は、記録装置１におけるドットピッチの半画素分（２５．４／６００／２＝約２１μｍ）を越えるものであり、このようなドットが存在している画像を見た際、ユーザは、画像ムラの存在を認識してしまうことになる。
【００７２】
　このような問題を防止するために、本実施形態のインクジェット記録装置１では、用紙が搬送ローラユニットのみによって保持されている間、すなわち、用紙の先端部に対する画像の記録が開始されてから、用紙の先端部が排紙ローラユニット（排紙ローラ４１ａおよび拍車４２）により保持されるまでの間、記録ヘッド３１の複数のノズルのうち、搬送ローラユニットに近い側の例えば２分の１（図８におけるＮ２参照）のノズル（上流側の２５６個のノズル）のみからインクが吐出される。
【００７３】
　これにより、記録ヘッド３１のすべてのノズルからインクを吐出させた場合と比較して、インクを吐出するノズルと搬送ローラユニット（搬送ローラ２１およびピンチローラ２２）との距離が短くなることから、用紙の浮き上がりが発生したとしても、記録ヘッド３１と、搬送ローラユニットのみによって片持ち式に保持された用紙との相対的な位置関係の狂いを抑制することが可能となる。この結果、本発明によれば、用紙の先端部における画像の乱れを低減可能となり、用紙の先端部における画像品位をより一層向上させ、用紙の全面に対して高品位な画像記録を実行することができる。
【００７４】
　例えば、搬送ローラユニット側の２分の１（図８におけるＮ２参照）のノズルのみが画像記録に用いられる場合、これらのノズルのうち、最下流側のノズル近傍における用紙Ｐの浮き上がり量は、ｔａｎ２°×２５＝約０．８７ｍｍとなり、この際の用紙Ｐの搬送方向における位置ズレ量は、２５−ｃｏｓ２°×２５＝約１５μｍとなる。これにより、用紙Ｐの搬送方向における位置ズレ量は、記録ヘッド３１のすべてのノズルが使用された場合と比較して、およそ３割程度低減されることになると共に、上述の画像ムラの認識の基準となる２１μｍをも下回る。
【００７５】
　図７に示されるように、記録装置１のＭＰＵ６０は、Ｓ１８の処理を開始すると、更に、ＰＥセンサ２５から送られる信号に基づいて、用紙が搬送ローラ２１およびピンチローラ２２により構成される搬送ローラユニットを通過したか否かを判断する（Ｓ２０）。ＭＰＵ６０は、Ｓ２０において、用紙が搬送ローラユニットを通過していないと判定した場合、記録ヘッド３１に含まれるすべてのノズルからインクが吐出されるように吐出データを作成する（Ｓ１８）。すなわち、用紙の先端が排紙ローラ４１ａと拍車４２とによって保持された後は、用紙の浮き上がりが確実に低減されるので、この場合、記録ヘッド３１のすべてのノズルを用いることにより、記録速度を増加させてスループットの低下を最小限に抑制することができる。
【００７６】
　一方、ＭＰＵ６０は、Ｓ２０において、用紙が搬送ローラユニットに通過した（用紙が搬送ローラ２１とピンチローラ２２とによって保持されなくなった）と判定した場合、記録ヘッド３１に含まれる複数のノズルのうち、排紙ローラユニット（排紙ローラ４１ａおよび拍車４２）に近い側に位置する一部（２分の１）のノズルのみからインクが吐出されるように吐出データを作成する（Ｓ２２）。
【００７７】
　更に、ＭＰＵ６０は、作成した吐出データ量等に基づいて、あるいは、図示されないセンサからの信号に基づいて、用紙が排紙ローラユニット（排紙ローラ４１ａおよび拍車４２）を通過したか否かを判断する（Ｓ２４）。ＭＰＵ６０は、Ｓ２４にて、用紙が排紙ローラユニット（排紙ローラ４１ａおよび拍車４２）を通過したと判定するまで、Ｓ２２における処理を継続する。
【００７８】
　すなわち、余白無し記録を行なう場合等、記録媒体としての用紙の後端部にも画像を記録する場合、図９に示されるように、用紙Ｐは、搬送ローラユニットを通過した後、排紙ローラユニット（排紙ローラ４１ａおよび拍車４２）のみによって片持ち式に保持されることになる。このため、用紙Ｐの特性や周囲環境の影響により、同図において符号Ｐ１にて示されるように、ある角度θ２をもって後端部が浮き上がってしまうことがある。このような浮き上がり現象は、例えば記録デューティーが高く、インクの急激な蒸発によって記録直後にカールが発生する場合や用紙Ｐがもともとカールしていた場合に生じ得る。
【００７９】
　このように、用紙Ｐの後端部に対して画像を記録する場合も、用紙Ｐの先端部の場合と同様に、用紙Ｐが排紙ローラユニット（排紙ローラ４１ａおよび拍車４２）のみによって保持されるようになる前後において、用紙Ｐの搬送状態が異なってしまう。そして、何ら対策を施すことなく、単純に記録ヘッド３１から用紙Ｐの後端部にインクを吐出させた場合、このような用紙Ｐの搬送状態の変化に起因して用紙Ｐに形成される画像中に画像ズレが発生してしまうことになる。
【００８０】
　ここで、上述のように、記録ヘッド３１は、５１２個のノズルを有しており、ノズルピッチは、６００ｄｐｉとされている。このため、用紙Ｐの搬送方向において、全ノズル長Ｎ１は、およそ２１．６ｍｍとなる。また、排紙ローラユニットの用紙ニップ位置からノズル中心位置までの距離Ｘ３は、搬送方向において、２５ｍｍであり、排紙ローラユニットの用紙ニップ位置から最上流側のノズルまでの距離Ｘ４は、２５＋（２１．６／２）＝３５．８ｍｍである。
【００８１】
　このような記録装置１において、例えば、用紙Ｐの後端部の浮き上がりが角度θ２＝２°で発生した場合、記録ヘッド３１に含まれる全てのノズルを用いて記録を行なうと、最上流側のノズル近傍における用紙Ｐの浮き上がり量は、用紙Ｐの本来の状態（用紙Ｐがプラテン２４と平行に搬送されている状態、図９における符号Ｐ２参照）から、ｔａｎ２°×３５．８＝約１．２５ｍｍとなる。この場合、用紙Ｐの搬送方向に関して、用紙Ｐは、本来の位置から、３５．８−ｃｏｓ２°×３５．８＝約２２μｍだけ全体に下流側（排紙ローラユニット側）にズレることになる。そして、このような用紙Ｐの搬送方向における位置ズレ量に応じて、記録ヘッド３１から吐出されるインクにより用紙Ｐに形成されるドットは上流側に移動してしまう。
【００８２】
　そこで、本実施形態のインクジェット記録装置１では、用紙が排紙ローラユニットのみによって保持されるようになると、記録ヘッド３１の複数のノズルのうち、排紙ローラユニットに近い側の例えば２分の１（図９におけるＮ３参照）のノズル（下流側の２５６個のノズル）のみからインクが吐出される。これにより、記録ヘッド３１のすべてのノズルからインクを吐出させた場合と比較して、インクを吐出するノズルと排紙ローラユニット（排紙ローラ４１ａおよび拍車４２）との距離が短くなることから、用紙の浮き上がりが発生したとしても、記録ヘッド３１と、排紙ローラユニットのみによって片持ち式に保持された用紙との相対的な位置関係の狂いを抑制することが可能となる。この結果、本発明によれば、用紙の後端部における画像の乱れをも低減可能となり、用紙の後端部における画像品位をより一層向上させ、用紙の全面に対して高品位な画像記録を実行することができる。
【００８３】
　例えば、排紙ローラユニット側の２分の１（図９におけるＮ３参照）のノズルのみが画像の記録に用いられる場合、これらのノズルのうち、最上流側のノズル近傍における用紙Ｐの浮き上がり量は、ｔａｎ２°×２５＝約０．８７ｍｍとなり、この際の用紙Ｐの搬送方向における位置ズレ量は、２５−ｃｏｓ２°×２５＝約１５μｍとなる。これにより、用紙Ｐの搬送方向における位置ズレ量は、記録ヘッド３１のすべてのノズルが使用された場合と比較して、およそ３割程度低減されることになると共に、上述の画像ムラの認識の基準となる２１μｍをも下回る。
【００８４】
　図７に示されるように、ＭＰＵ６０は、Ｓ２４にて、用紙が排紙ローラユニット（排紙ローラ４１ａおよび拍車４２）を通過したと判定すると、Ｓ２６において、次の記録データが存在するか否かを判断する。そして、ＭＰＵ６０は、Ｓ２６にて次の記録データが存在すると判定した場合、上述のＳ１２〜Ｓ２４の処理を繰り返し、Ｓ２６にて次の記録データが存在しない判定した場合、記録動作を終了させる。
【００８５】
　なお、上述のＳ１４およびＳ２２の処理に際して、記録に使用するノズルは、搬送ローラユニット側の２分の１または排紙ローラユニット側の２分の１に限定されるものではない。すなわち、記録媒体の先端部や後端部に画像を記録するに際して使用するノズルの数および位置は、任意に定めることができる。例えば、図８に示されるように、用紙（記録媒体）の先端部（および／または後端部）に対して画像を記録するに際して、搬送ローラユニット（排紙ローラユニット）側の４分の１のノズルのみが用いられてもよい。また、本発明は、搬送ローラユニット（排紙ローラユニット）側の使用ノズルとして、搬送ローラユニット（排紙ローラユニット）側の最端のノズルを使用する形態に限定されるものではない。例えば、気流の影響により吐出インクの着弾位置がズレやすい最端部近傍のノズルを使用する代わりに、最端部近傍のノズルを除いた搬送ローラユニット（排紙ローラユニット）側のノズルが使用されてもよい。このように、記録ヘッド３１の複数ノズルのうち、ローラユニットに近い側の少数のノズルからインクを吐出させることにより、用紙の浮き上がりに起因する画像の乱れをより一層低減させることが可能となる。
【００８６】
　また、用紙の先端部または後端部の浮き上がり量の大小（カール状態の発生度合い）に応じて、記録に用いるノズルの位置を用紙の搬送方向において変化させてもよい。すなわち、用紙の先端部または後端部に画像を記録する際に用紙の浮き上がり量が大きい場合には、搬送ローラユニット側および／または排紙ローラユニット側の４分の１のノズルからインクを吐出させ、用紙の浮き上がり量が小さい場合には、搬送ローラユニット側および／または排紙ローラユニット側の２分の１のノズルからインクを吐出させてもよい。これにより、用紙の搬送状態の変化に起因するドットの位置ズレを効果的に抑制しつつ、スループットの低下を必要最小限にすることが可能となる。
【００８７】
　この場合、浮き上がり量の大小の判別は、記録デューティーから判別することができる。すなわち、記録デューティーが高い場合には、浮き上がり量（カール）が大きく、記録デューティーが低い場合には、浮き上がり量（カール）が小さいと判別され得る。また、浮き上がり量の大小は、インクジェット記録装置１の周囲の環境温度や環境湿度によっても変化し、記録媒体の種類よっても変化する。
【００８８】
　従って、Ｓ１４およびＳ１６において用いられるノズルの数や位置は、記録デューティー、環境温度および環境湿度の何れか一つまたはこれらの組み合わせに基づいて変化され得る。更に、例えば記録媒体が厚紙である場合、当該厚紙は、１組のローラユニットのみによって片持ち式に保持されたとしても、殆ど浮き上がることはない。従って、記録媒体が厚紙である場合には、例えば記録ヘッド３１のすべてのノズルからインクを吐出させる一方、記録媒体が普通紙である場合には、搬送ローラユニット側および／または排紙ローラユニット側の一部のノズルからインクを吐出させてもよい。
【００８９】
　〔第２実施形態〕
　記録ヘッドの使用ノズルと記録媒体との相対位置のズレを最も効果的に低減するためには、先の実施形態のような使用ノズルの選択を行うのが理想的である。すなわち、上流側のローラ（搬送ローラ）のみで記録媒体が保持・搬送されている際には、記録ヘッドのノズル列のうち上流側（搬送ローラ側）のノズルのみを使用ノズルとして選択するとよい。一方、下流側のローラ（排紙ローラ）のみで記録媒体が保持・搬送されている際には、記録ヘッドのノズル列のうち下流側（排紙ローラ側）のノズルのみを使用ノズルとして選択するとよい。ところが、余白無し記録の際に記録媒体からはみ出して吐出されるインクを回収するための予備吐口（プラテンに設けられた予備吐口）の搬送方向における長さが記録ヘッドのノズル列よりも短いという制限が存在する場合、先の実施形態のような単純な使用ノズルの選択を行うと、予備吐口に対してではなく、プラテン上にインクが吐出されてしまい、プラテンを汚してしまうおそれがある。このような場合には、使用ノズルの選択に更に工夫を要する。以下、プラテンに設けられた予備吐口の長さＸが記録ヘッドのノズル列の長さＤよりも短いという条件下において余白無し記録を行う場合の使用ノズルの最適な選択手法について説明する。
【００９０】
　図１０に示されるように、筐体４の内部には、往復移動する記録ヘッド３１と対向するようにプラテン２４が配置されている。プラテン２４は、画像記録時の記録媒体Ｐの位置を定める。記録媒体Ｐは、給紙機構１０により搬送方向（矢印Ｂ方向）にプラテン２４上へと供給される。また、キャリッジは主走査方向（Ａ方向）に走査させられ、記録ヘッド３１がインクをプラテン２４上の記録媒体Ｐに吐出し、これにより、記録媒体Ｐに画像が記録される。画像の記録は、インク吐出データに従って記録ヘッド３１を駆動し、記録ヘッド３１からインクを吐出させることにより実行される。
【００９１】
　プラテン２４には、記録ヘッド３１の各ノズル列３１Ｋ〜３１Ｙと対向し得るように予備吐口１２１が形成されている。記録媒体Ｐの縁部に対する余白無し記録時には、記録ヘッド３１によって、インクが記録媒体Ｐからはみ出すように予備吐口１２１内に吐出される。予備吐口１２１は、主走査方向（図中Ａ方向）に延在する。予備吐口１２１は、主凹部１２２と、複数の延出凹部１２３ａ〜１２３ｆとを含む。主凹部１２２は、プリンタが取扱い可能な最大サイズの記録媒体Ｐの幅よりも大きい長手方向長さを有する。また、主凹部１２２は、記録ヘッド３１の各ノズル列３Ｋ〜３Ｙの全長Ｄよりも短い長さ（記録媒体Ｐの搬送方向における長さ）Ｘを有する。一方、各延出凹部１２３ａ〜１２３ｆは、Ａ４用紙やハガキといった各種記録媒体Ｐの側縁部に対応するようにプラテン２４に形成されている。各延出凹部１２３ａ〜１２３ｆは、主凹部１２２から記録媒体Ｐの搬送方向（Ｂ方向）の上流側および下流側の双方に延出されている。各延出凹部１２３ａ〜１２３ｆは、記録ヘッド３１の各ノズル列３Ｋ〜３Ｙの全長Ｄよりも多少大きい程度の長さ（記録媒体Ｐの搬送方向における長さ）Ｙを有する。
【００９２】
　更に、主凹部１２２は、ノズル列のうち上流側ノズルにのみ対向し、下流側ノズルには対向しない構成となっている。従って、記録媒体が存在しない状態で記録ヘッドを主走査させてインクを吐出させると、上流側ノズルから吐出されたインクはその全てが予備吐口１２１内へ回収される。これに対して、下流側ノズルから吐出されたインクは大多数がプラテン２４上に着弾することになる。
【００９３】
　このような構成のプリンタにおいて余白無し記録を行う場合に、先の実施形態のような使用ノズルの選択手法を採用すると、記録媒体の後端部に対する記録時に、プラテン予備吐口１２１とは対向しない下流側ノズルのみが使用ノズルとして常時選択されることになる。この場合、記録媒体が排紙ローラのみで保持・搬送され始めてから所定期間が経過するまでの間（すなわち、下流側ノズルのみが使用され始める最初のスキャンから所定回数のスキャンが完了するまで間）は、下流側ノズルから吐出されたインクは全て記録媒体に着弾することから何ら問題はなく、むしろ、上述した相対位置のズレを抑制できるので好ましい。ところが、所定期間の経過後において記録媒体の最後端部近傍に対する記録が行われる段階になると、予備吐口１２１と対向しない下流側ノズルから吐出されるインクは記録媒体からはみ出して吐出され、そのはみ出したインクがプラテン上に着弾するようになる。これは、プラテンを汚してしまうので好ましくない。
【００９４】
　そこで、第２実施形態では、記録媒体が排紙ローラのみで保持・搬送され始めてから所定期間が経過するまでの間（すなわち、下流側ノズルのみが使用され始める最初のスキャンから所定回数のスキャンが完了するまで間）は下流側ノズルのみが使用され、所定期間が経過後には上流側ノズルのみが使用される。なお、記録媒体が搬送ローラのみで保持・搬送されている際には、先の実施形態と同様に上流側ノズルのみが使用される。
【００９５】
　要するに、第２実施形態では、以下のステップが順に行われ、それにより、余白無し記録が実行されるのである。すなわち、まず、上流側のローラ（搬送ローラ）のみにより記録媒体が保持・搬送されるような記録媒体の先端部に対する記録時においては、上流側（搬送ローラ側）のノズルのみが使用ノズルとして選択される。次に、上流側のローラ（搬送ローラ）と下流側のローラ（排紙ローラ）の両方により記録媒体が保持・搬送されるような記録媒体の通常領域に対する記録時においては、上流側（搬送ローラ側）および下流側（排紙ローラ側）のノズルが使用ノズルとして選択される。そして、下流側のローラ（排紙ローラ）のみにより記録媒体が保持・搬送されるような記録媒体の後端部に対する記録時においては、記録媒体が排紙ローラのみにより保持・搬送され始めてから所定期間が経過するまでの間、下流側（排紙ローラ側）のノズルのみが使用ノズルとして選択され、所定期間が経過した後は、上流側（搬送ローラ側）のノズルのみが使用ノズルとして選択される。
【００９６】
　本実施形態によれば、プラテンに設けられた予備吐口１２１の長さＸが記録ヘッドのノズル列の長さＤよりも短いという制限が存在するプリンタにおいて余白無し記録を行う場合であっても、プラテンを汚さずに、かつ、記録ヘッドの使用ノズルと記録媒体との相対位置のズレを極力低減することが可能となる。
【００９７】
　なお、本実施形態は、下流側のローラ（排紙ローラ）のみにより記録媒体が保持・搬送されるような記録媒体の後端部に対する記録時において、記録媒体が排紙ローラのみにより保持・搬送され始めてから所定期間が経過する前後で、使用ノズルを下流側ノズルから上流側ノズルへと一度に切換える形態について説明されたが、この形態に限定されるものではない。例えば、所定期間が経過する前において、使用ノズルを徐々に上流側へシフトしていき、下流側ノズルと上流側ノズルを併用させる期間を設け、最終的に所定期間が経過したときに上流側ノズルのみが使用されるようになっていればよい。
【００９８】
　更に、本実施形態は、上流側ノズルにのみ予備吐口が対向しており、下流側には予備吐口が対向していないもの例に関連して説明されたが、この逆の形態も考えられる。すなわち、下流側ノズルにのみ予備吐口が対向しており、上流側には予備吐口が対向していなくてもよい。この場合、処理対象となる端部も逆になる。すなわち、上流側のローラ（搬送ローラ）のみにより記録媒体が保持・搬送される際に、まず、上流側ノズルのみが使用され、その後下流側ノズルのみが使用されるようにする。そして、下流側のローラ（排紙ローラ）のみにより記録媒体が保持・搬送される際には、先の実施形態と同様に下流側ノズルのみが使用されることになる。
【００９９】
　また、上流側ノズルの全部と下流側ノズルの一部に予備吐口が対向する形態も考えられる。この場合、上流側のローラ（搬送ローラ）のみにより記録媒体が保持・搬送される際には、先の実施形態と同様に上流側ノズルのみが使用され、下流側のローラ（排紙ローラ）のみにより記録媒体が保持・搬送される際には、まず、下流側ノズルのみが使用され、その後、上流側ノズルのみが使用されるか、あるいは、上流側ノズルと予備吐口に対向する下流側ノズルが使用されるか、更には、予備吐口に対向する下流側ノズルのみが使用されるようになる。
【０１００】
　〔その他の実施形態〕
　また、本発明は、排紙ローラユニット（排紙ローラ４１ａおよび拍車４２ならびに排紙ローラ４１ｂおよび拍車４２）を有していない記録装置に対しても適用され得る。このような構成のもとでは、排紙ローラユニットによって用紙の先端部が保持されないことから、用紙の浮き上がりの影響が排紙ローラユニットを有する記録装置と比較して小さいとも言えるが、用紙の自重、特性や周囲環境の影響により、用紙の浮き上がり量が変化するので、本発明を適用することにより、用紙の浮き上がりに起因する画像の乱れを良好に低減することが可能となる。同様の理由から、本発明は、搬送ローラユニットを有さず、排紙ローラユニットのみを有する記録装置に適用されてもよい。なお、上述の実施形態に関連して説明された具体的数値等は何れも一例であり、本発明を何ら限定するものではない。
【０１０１】
　また、上述した実施形態は、余白無し記録を実行する例に関連して説明されたが、本発明はこれに限られるものではない。すなわち、本発明は、余白無し記録以外の記録（記録媒体の端部に余白を設けた記録）に対しても適用可能である。要するに、本発明は、余白無し記録であろうがなかろうが、（ａ）搬送ローラのみにより記録媒体が保持・搬送される時の記録媒体の先端部に対する記録動作、および、（ｂ）排紙ローラのみにより記録媒体が保持・搬送される時の記録媒体の後端部に対する記録動作のうちのいずれか一方を実行する場合に適用することができる。
【０１０２】
　更に、ここまで、図７のフローチャートに示される一連の処理がインクジェット記録装置１側で行われるものとして説明されたが、これに限られるものではない。図７のフローチャートに示される一連の処理のすべて、または、一部は、ホストコンピュータＨＣ側のプリンタドライバＰＤによっても実行され得る。例えば、ホストコンピュータＨＣのプリンタドライバＰＤ側において、記録媒体の先端部または後端部について搬送ローラユニットまたは排紙ローラユニットに近い側の一部のノズルのみからインクを吐出させるように記録データが作成され、プリンタ側では、ホストコンピュータＨＣから転送されたデータに従って記録動作を行うだけの形態としてもよい。
【０１０３】
　本発明の目的は、上述の実施形態の機能を実現するソフトウェアのプログラムコードを記憶した記憶媒体を、装置あるいはシステムに提供し、その装置あるいはシステムのコンピュータ（ＣＰＵまたはＭＰＵ）がその記憶媒体に格納されたプログラムコードを読み出して実行することによっても達成される。
【０１０４】
　この場合、プログラムコード自体が上述の実施形態の機能を実現することになる。従って、そのプログラムコードを記憶した記憶媒体およびそのプログラムコード自体も、本発明の範囲に含まれる。
【０１０５】
　本発明の記憶媒体には、例えば、図７に示されるフローチャートに対応するプログラムコードが格納されることになる。図７のプログラムコードに対応したプログラムコードのうち、重要なのは、Ｓ１２〜Ｓ２４に対応するプログラムコードである。すなわち、記録媒体の先端部または後端部に画像を記録するために記録媒体が１組のローラユニット（搬送ローラユニットまたは排紙ローラユニット）のみによって保持される際に、記録ヘッドの複数のノズルのうち、ローラユニット（搬送ローラユニットまたは排紙ローラユニット）に近い側の一部からインクが吐出されるようにインク吐出データを作成するためのプログラムコードは、重要である。
【０１０６】
　プログラムコードを供給するための記憶媒体は、例えば、フロッピー（登録商標）ディスク、ＣＤ−ＲＯＭ、ハードディスク、光ディスク、光磁気ディスク、ＣＤ−Ｒ、ＣＤ−ＲＷ、ＤＶＤ、磁気テープ、不揮発性のメモリカード、ＲＯＭなどを含む。
【０１０７】
　また、コンピュータが、読み出したプログラムコードを実行することにより、上述の実施形態の機能が実現されるだけでなく、そのプログラムコードの指示に基づき、コンピュータ上で稼動しているＯＳなどが、実際の処理の一部または全部を行い得る。このような処理も、本発明の範囲に含まれる。
【０１０８】
　更に、記憶媒体から読み出されたプログラムコードが、コンピュータに挿入された機能拡張ボードやコンピュータに接続された機能拡張ユニットのメモリに書き込まれた後、そのプログラムコードの指示に基づき、その機能拡張ボードや機能拡張ユニットのＣＰＵなどが実際の処理の一部または全部を行い得る。このような処理も、本発明の範囲に含まれる。
【図面の簡単な説明】
【０１０９】
【図１】本発明によるインクジェット記録装置を示す斜視図である。
【図２】本発明によるインクジェット記録装置を示す斜視図である。
【図３】本発明によるインクジェット記録装置のプリント機構の側面図である。
【図４】本発明によるインクジェット記録装置のプリント機構の斜視図である。
【図５】本発明によるインクジェット記録装置のプリント機構の斜視図である。
【図６】本発明によるインクジェット記録装置の制御ブロック図である。
【図７】本発明によるインクジェット記録装置の動作を説明するためのフローチャートである。
【図８】本発明によるインクジェット記録装置の動作を説明するための模式図である。
【図９】本発明によるインクジェット記録装置の動作を説明するための模式図である。
【図１０】本発明の第２の実施形態における余白無し記録動作を説明するための図面である。
【符号の説明】
【０１１０】
１　インクジェット記録装置
４　筐体
６　給紙トレイ
８　排紙トレイ
９　プリント機構
１０　給紙機構
１４　給紙ローラ
１７　給紙専用モータ
２０　送紙機構
２１　搬送ローラ
２２　ピンチローラ
２４　プラテン
２５　ＰＥセンサ
２６　搬送モータ
３０　キャリッジ駆動機構
３１　記録ヘッド
３１ａ　インクタンク
３２　キャリッジ
４０　排紙機構
４１ａ，４１ｂ　排紙ローラ
４２　拍車
４５　クリーニング機構
１２１　予備吐口
１２２　主凹部
ＣＲＭ　キャリッジモータ
ＨＣ　ホストコンピュータ
Ｐ　用紙（記録媒体）
ＰＤ　プリンタドライバ
【図１】
2004098668.tif 000003
【図２】
2004098668.tif 000004
【図３】
2004098668.tif 000005
【図４】
2004098668.tif 000006
【図５】
2004098668.tif 000007
【図６】
2004098668.tif 000008
【図７】
2004098668.tif 000009
【図８】
2004098668.tif 000010
【図９】
2004098668.tif 000011
【図１０】
2004098668.tif 000012